(57)【要約】【課題】大型化および複雑化を抑止し、脱臭性能を向上させることができるトイレ空間用脱臭装置を提供する。【解決手段】トイレ空間用脱臭装置は、吸気口を形成する吸気部と、排気口を形成する排気部と、前記吸気口から空気を吸気するファン装置と、前記吸気口と前記排気口とを連通し空気を流通させる脱臭風路中に設けられ、前記脱臭風路中で水を溜めることが可能な水溜め部と、前記水溜め部の壁部に設けられ、前記吸気口から前記脱臭風路に吸気した空気の流れる方向を前記水溜め部に溜めた水に向かわせるよう変える気流変更部と、を備えている。【選択図】図４
2020200645.tif 000002
【特許請求の範囲】
【請求項１】
吸気口を形成する吸気部と、
排気口を形成する排気部と、
前記吸気口から空気を吸気するファン装置と、
前記吸気口と前記排気口とを連通し空気を流通させる脱臭風路中に設けられ、前記脱臭風路中で水を溜めることが可能な水溜め部と、
前記水溜め部の壁部に設けられ、前記吸気口から前記脱臭風路に吸気した空気の流れる方向を前記水溜め部に溜めた水に向かわせるよう変える気流変更部と、
を備えたトイレ空間用脱臭装置。
【請求項２】
前記水溜め部の下壁部側に水が溜められ、
前記気流変更部は、前記水溜め部の上壁部に設けられた請求項１記載のトイレ空間用脱臭装置。
【請求項３】
前記気流変更部は、前記水溜め部の前記壁部に設けられた凹部または凸部である請求項１または２に記載のトイレ空間用脱臭装置。
【請求項４】
前記凹部または前記凸部は、前記水溜め部に溜めた水に向かう壁面を有する請求項３記載のトイレ空間用脱臭装置。
【請求項５】
前記気流変更部は、前記水溜め部の後壁部から前記脱臭風路中に突出する請求項１〜４のいずれか１つに記載のトイレ空間用脱臭装置。
【発明の詳細な説明】
【技術分野】
【０００１】
本発明は、トイレ空間用脱臭装置に関する。
【背景技術】
【０００２】
トイレ空間において脱臭を行う脱臭装置として、空気を水に接触させることによって、空気に含まれる臭気成分を水に溶解させるものが知られている。例えば、特許文献１には、ファン装置によって気体流路に吸入された気体に水を霧状に噴出する水噴出装置が開示されている。その水噴出装置は、振動子またはノズルを備えている。また、例えば、特許文献２には、エアポンプの駆動により便器内の空気が空気吸引管内に吸引され、消臭室底の逆流防止板を通過して消臭室内部に貯められた貯水内に導入する構成が開示されている。
【先行技術文献】
【特許文献】
【０００３】
【特許文献１】特開２０１７−２２３０３０号公報
【特許文献２】実開平４−１１７０７４号公報
【発明の概要】
【発明が解決しようとする課題】
【０００４】
特許文献１のような構成では、振動子自体、ノズル自体、さらに振動子やノズルを動作させるための機構等により、脱臭装置が大型化および複雑化する懸念がある。また、特許文献２のように、水が溜められた消臭室の底から空気を吸引し水中に空気を導入する構成では、比較的強い吸引力を備える吸引装置が求められ、その吸引装置の大型化に起因して脱臭装置が大型化する懸念がある。また、臭気成分を含む空気と接触する水の表面積が大きいほど脱臭性能は向上する。しかし、水の表面積を大きくすると脱臭装置が大型化してしまう懸念がある。
【０００５】
そこで、本発明は、大型化および複雑化を抑止し、脱臭性能を向上させることができるトイレ空間用脱臭装置を提供する。
【課題を解決するための手段】
【０００６】
第１の発明のトイレ空間用脱臭装置は、吸気口を形成する吸気部と、排気口を形成する排気部と、前記吸気口から空気を吸気するファン装置と、前記吸気口と前記排気口とを連通し空気を流通させる脱臭風路中に設けられ、前記脱臭風路中で水を溜めることが可能な水溜め部と、前記水溜め部の壁部に設けられ、前記吸気口から前記脱臭風路に吸気した空気の流れる方向を前記水溜め部に溜めた水に向かわせるよう変える気流変更部と、を備えている。
第１の発明によれば、水溜め部に溜めた水に向かわせる気流を生じさせ、水溜め部に溜めた水に空気を衝突させることができる。これにより、大型化および複雑化を抑止し、水に接触する空気の比率を増やし脱臭性能を向上させることができる。
第２の発明は、第１の発明において、前記水溜め部の下壁部側に水が溜められ、前記気流変更部は、前記水溜め部の上壁部に設けられている。
第２の発明によれば、水溜め部の下壁部側に溜めた水に対して空気を上から効率よく衝突させることができ、水に接触する空気の量を増大させやすい。
第３の発明は、第１または第２の発明において、前記気流変更部は、前記水溜め部の前記壁部に設けられた凹部または凸部である。
第３の発明によれば、水溜め部の壁部の成形や加工により容易に形成することができ、脱臭装置の大型化および複雑化をまねかない。
第４の発明は、第３の発明において、前記凹部または前記凸部は、前記水溜め部に溜めた水に向かう壁面を有する。
第４の発明によれば、簡単な構成で、水溜め部に溜めた水に向かわせる空気の流れを作り出すことができる。
第５の発明は、第１〜第４の発明のいずれか１つにおいて、前記気流変更部は、前記水溜め部の後壁部から前記脱臭風路中に突出する。
第５の発明によれば、水溜め部の後壁部から脱臭風路中に突出して設けた気流変更部によって、水溜め部に溜めた水に向かわせる気流を生じさせつつ、水面付近の空気の脱臭風路における下流側への流通が堰き止められ、水面付近で空気を滞留させることができる。この空気の滞留は、空気と水との接触時間をより増大させることができ、空気中の水溶性が高い臭気成分の水への溶解効率を向上させる。
【発明の効果】
【０００７】
本発明のトイレ空間用脱臭装置によれば、大型化および複雑化を抑止し、脱臭性能を向上させることができる。
【図面の簡単な説明】
【０００８】
【図１】一実施形態のトイレ装置の斜視図である。
【図２】一実施形態の水脱臭ユニットの斜視図である。
【図３】一実施形態の水脱臭ユニットの断面斜視図である。
【図４】一実施形態の水脱臭ユニットの断面図である。
【発明を実施するための形態】
【０００９】
以下、添付図面を参照しながら本発明の実施の形態の１つについて説明する。説明の理解を容易にするため、各図面において同一の構成要素に対しては可能な限り同一の符号を付して、重複する説明は省略する。
【００１０】
図１は、本発明の一実施形態のトイレ装置１の斜視図である。
【００１１】
図１に示すように、トイレ空間に設置されるトイレ装置１は、腰掛大便器（以下、単に便器と称する）１００と、便器１００の上に設置された衛生洗浄装置２００とを有する。便器１００は、上方に向けて開口され水が溜められたボウル部１０１を有する。ボウル部１０１は操作部（図示せず）を使用者が操作することで洗浄水により洗浄され、排水配管（図示せず）へと洗浄水を排水する。
【００１２】
衛生洗浄装置２００は、便器１００に腰掛けた使用者のおしりなどの局部の洗浄を実現する局部洗浄機能部などを有する。なお、図１においては、局部洗浄機能部に含まれるノズル等を図示せず省略している。また、衛生洗浄装置２００は、トイレ空間用脱臭装置（以下、単に脱臭装置と称する）１０を有する。脱臭装置１０は、水脱臭ユニット２０と、制御部９０とを有する。
【００１３】
図２（ａ）及び（ｂ）は、互いに異なる角度から見た水脱臭ユニット２０の斜視図である。図３は、水脱臭ユニット２０の断面斜視図である。
【００１４】
図３に示すように、水脱臭ユニット２０は、水脱臭部４０とファン装置６０とを有する。水脱臭部４０およびファン装置６０は、ケース２１と上壁部５３とによって形成される空間内に設けられている。
【００１５】
ケース２１と上壁部５３とによって形成される空間内に、ファン装置６０の駆動により空気が流通する脱臭風路８０が形成されている。また、水脱臭ユニット２０は、吸気口２３を形成する吸気部１２３と、排気口２４を形成する排気部１２４（図２（ｂ）に示す）とを有する。吸気口２３および排気口２４は、脱臭風路８０と連通している。吸気口２３は、後述する排水口２５も兼ねている。
【００１６】
ファン装置６０の駆動により、吸気口２３から脱臭風路８０内に空気が吸気され、吸気された空気は後述する水溜め部５０を流通した後、ファン装置６０に吸い込まれ、排気口２４からケース２１の外に排気される。ファン装置６０の内部を空気が流れる風路も、脱臭風路８０の一部を形成する。
【００１７】
水脱臭部４０は、水溜め部５０を有する。水溜め部５０は、吸気口２３とファン装置６０との間に位置する。ファン装置６０は、水溜め部５０よりも、脱臭風路８０における下流側に配置されている。
【００１８】
水溜め部５０は、第１空間５１と第２空間５２とを有する。第１空間５１および第２空間５２の上方は上壁部５３によって閉塞され、下方はケース２１の一部である下壁部５４によって閉塞され、左右の側方は図２（ａ）及び（ｂ）に示す側壁部５６、５７によって閉塞されている。
【００１９】
第１空間５１と第２空間５２は互いに連通し、第２空間５２は第１空間５１よりも吸気口２３側に位置する。第２空間５２は、吸気口２３と第１空間５１との間に位置する。第１空間５１の脱臭風路８０における最下流部に後壁部５５が設けられている。
【００２０】
第１空間５１および第２空間５２の下方に、後壁部５５から吸気口２３（排水口２５）に向かう方向に沿って下り傾斜した底面５４ａが設けられている。下壁部５４の上面が底面５４ａを形成する。
【００２１】
第２空間５２の高さ（底面５４ａと上壁部５３の下面との間の鉛直方向に沿った高さ）は、吸気口２３から第１空間５１に向かうにしたがって徐々に低くなっている。すなわち、第２空間５２の断面積は、吸気口２３から第１空間５１に向かうにしたがって徐々に小さくなっている。そして、第２空間５２に続く第１空間５１では、第２空間５２の高さ（断面積）に比べて、高さ（断面積）が急拡大している。
【００２２】
水溜め部５０の上壁部５３には、吸気口２３から脱臭風路８０に吸気した空気の流れる方向を、水溜め部５０に溜めた水に向かわせるよう変える気流変更部として、例えば、凹部５８が設けられている。
【００２３】
凹部５８は、上方向に凸状の曲面を有し、その曲面の脱臭風路８０における下流側に、水溜め部５０に溜めた水に向かう壁面５８ａが形成されている。
【００２４】
凹部５８は、第１空間５１の上方に設けられている。吸気口２３と後壁部５５との間を底面５４ａの傾斜に沿って結ぶ方向を第１方向とする。例えば、凹部５８の第１方向に沿った長さは、第１空間５１の第１方向に沿った長さの半分以上の長さである。
【００２５】
また、別の（第２の）気流変更部として、水溜め部５０の後壁部５５に、後壁部５５から脱臭風路８０中に突出する突出壁５９が設けられている。突出壁５９は、その上端が下端よりも脱臭風路８０における上流側に位置するように鉛直方向に対して傾斜している。突出壁５９の上端の上方には、第１空間５１からファン装置６０側への空気の流通を許容する空間が形成されている。
【００２６】
凹部５８を形成する曲面（壁面５８ａも含む）、および突出壁５９は、図２（ａ）に示す側壁部５６と、図２（ｂ）に示す側壁部５７との間にわたって延在している。
【００２７】
水溜め部５０には、給水部２７から水が給水される。給水部２７は、例えば給水口２７ａを有する給水ノズルである。例えば、給水源（水道）から図示しない局部洗浄機能部に含まれるノズルへの給水路に給水され、さらにその給水路から分岐して給水部２７へ給水される。前記給水路からの分岐後、電解槽に給水し、電解槽にて除菌水を生成して、その除菌水を給水部２７に給水してもよい。
【００２８】
水溜め部５０に溜められた水は、排水口２５を形成する排水部１２５から排水される。本実施形態では、吸気口２３が排水口２５を兼ねている。水脱臭ユニット２０が図１に示す便器１００の上に設置された状態において、排水口２５はボウル部１０１に向けて開口し、水溜め部５０に溜められた水は排水口２５からボウル部１０１へ排水される。
【００２９】
例えば、側壁部５７における排水口２５の近傍に給水部２７が設けられている。給水部２７は水溜め部５０の外部に位置し、排水口２５は、水溜め部５０と給水部２７との間に位置する。給水部２７の給水口２７ａは排水口２５に向けられている。なお、給水部２７が設けられる位置は、この例に限るものではなく、水溜め部５０に水を給水可能な位置であればよい。
【００３０】
次に、本実施形態の脱臭装置１０の動作について説明する。
【００３１】
図１に示す便器１００への使用者の着座が検知されると、制御部９０の制御により、ファン装置６０が駆動され、給水部２７から水溜め部５０へ水が給水される。図３に示す給水部２７の給水口２７ａから吸気口２３（排水口２５）に向けて吐水され、吸気口２３（排水口２５）を通じて水溜め部５０に水が給水される。
【００３２】
例えば、ファン装置６０の駆動と、給水部２７からの給水は同時に開始される。または、ファン装置６０の駆動タイミングと、給水タイミングにはタイムラグがあってもよい。制御部９０は、ファン装置６０の駆動開始および停止、ならびに給水部２７からの水の給水開始および停止を制御する。駆動されたファン装置６０は、吸気口２３から脱臭風路８０内に空気を吸気する。
【００３３】
図４（ａ）は、本実施形態における水溜め動作を説明する断面図である。
【００３４】
図４（ａ）において、脱臭風路８０内の空気の流れを黒太線の矢印で表す。ファン装置６０の駆動により吸気口２３から吸気された空気は、水溜め部５０の第２空間５２および第１空間５１を流れてファン装置６０に吸い込まれ、図２（ｂ）に示す排気口２４から排気される。排気口２４に隣接して例えば酸化触媒（図示せず）が配置され、排気口２４から排気された空気は酸化触媒を通過してトイレ空間に排気される。
【００３５】
大気圧下の空気が吸気口２３から脱臭風路８０内に吸い込まれる。ファン装置６０は、脱臭風路８０に負圧を発生させる負圧形成手段として機能する。水溜め部５０の底面５４ａは、排水口２５へ向けて下り傾斜を形成しているため、水溜め部５０に給水された水は水溜め部５０の底面５４ａを排水口２５に向かって流れ得る。
【００３６】
しかしながら、ファン装置６０が駆動された状態においては、水溜め部５０に発生した負圧によって、水の排水方向に逆らう方向に流れる空気を水Ｗに押し当て、給水部２７から給水された水Ｗを水溜め部５０の下壁部５４側に溜めることができる。空気に押された水Ｗは、後壁部５５および突出壁５９に堰き止められ、脱臭風路８０における下流側への移動が阻止される。給水部２７からの水の給水は所定時間後に停止される。
【００３７】
吸気口２３から吸気され臭気成分を含んだ空気の一部は、水溜め部５０に溜められた水Ｗの水面に沿うように流れ、水溜め部５０に溜められた水Ｗの水面が脱臭風路８０の一部を形成する。そして、臭気成分の内、アンモニアやトリメチルアミンなどの水溶性の高い臭気成分が水溜め部５０に溜められた水Ｗに溶解し、脱臭される。
【００３８】
さらに、本実施形態によれば、水溜め部５０の第１空間５１の上壁部５３に気流変更部として例えば凹部５８が設けられている。吸気口２３から第２空間５２に吸気された空気は第２空間５２を第１空間５１に向かって流れ、第１空間５１に流入する。第１空間５１に流入した空気の一部は、凹部５８に入り込み、凹部５８の前述した壁面５８ａへと導かれ、その壁面５８ａに沿って下方の水Ｗに向かう。すなわち、第１空間５１内の気流の方向は、凹部５８によって、第２空間５２内の気流の方向（吸気口２３から第１空間５１に向かう方向）とは異なる方向（上方から水Ｗに向かう方向）に変更させられる。
【００３９】
例えば、水溜め部５０に溜めた水Ｗの水面に沿うような空気の流れのみであると、その気流の上側の空気は水Ｗに接触せずに水溜め部５０を通過してしまう。これに対して、実施形態によれば、凹部５８により、水溜め部５０に溜められた水Ｗに向かわせる気流を生じさせ、水Ｗに対して上から空気を衝突させることができる。これにより、水Ｗに接触せずに水溜め部５０を通過してしまう空気の比率を減らし、相対的に水Ｗに接触する空気の比率を増やし、吸気した空気中に含まれる水溶性の高い臭気成分の水への溶解量を増やし、脱臭性能を向上させることができる。
【００４０】
このような実施形態の構成は、空気が接触する水の表面積を大きくして脱臭性能を向上させる構成に比べて、脱臭装置の大型化をまねかない。また、ファン装置６０の駆動による負圧を利用して空気を水に接触させる構成であるので、振動子やノズルを用いて水を気流に噴出させる構成に比べて脱臭装置の大型化および複雑化をまねかない。また、実施形態によれば、水中に空気を吸引導入する構成のような強い吸引装置が不要であることからも、脱臭装置の大型化をまねかない。すなわち、本実施形態によれば、装置の大型化および複雑化を抑止し、小型かつ簡易な構成で脱臭性能を向上させることができる。
【００４１】
気流変更部である例えば凹部５８は、水溜め部５０の上壁部５３に限らず、例えば側壁部５６、５７に設けてもよい。気流変更部（この例では凹部５８）を上壁部５３に設けた場合には、水溜め部５０の下壁部５４側に溜められた水Ｗに対して空気を上から効率よく衝突させることができ、水Ｗに接触する空気の量を増大させやすい。
【００４２】
また、凹部５８は、水溜め部５０の壁部（この例では上壁部５３）の成形や加工により容易に形成することができ、脱臭装置の大型化および複雑化をまねかない。
【００４３】
また、上方向に凸状の凹部５８の頂部の高さや位置、また曲面の曲率の適切な設計により、所望の角度で傾斜し下方の水Ｗに向かう壁面５８ａを容易に形成することができる。簡単な構成で、水Ｗに向かわせる空気の流れを作り出すことができる。なお、壁面５８ａは鉛直面であってもよい。
【００４４】
凹部５８が小さすぎると空気が凹部５８に入り込まず、壁面５８ａへと導かれる空気の比率が減り、水面に沿ってそのまま水溜め部５０を通り抜けてしまう空気の比率が多くなってしまう懸念がある。そのため、凹部５８の前述した第１方向に沿った長さは、第１空間５１の第１方向に沿った長さの半分以上の長さとすることが好ましい。
【００４５】
なお、気流変更部として、凹部５８ではなく、吸気口２３から脱臭風路８０に吸気した空気の流れる方向を水溜め部５０に溜めた水に向かわせるような凸部を、水溜め部５０の壁部に設けてもよい。また、凹部５８は、傾斜面を有していてもよい。また、凹部５８は、曲面と傾斜面との組み合わせ、異なる曲率の曲面同士の組み合わせを有していてもよい。また、複数の凹部５８によって複数の壁面５８ａを形成してもよい。
【００４６】
また、本実施形態によれば、凹部５８（第１の気流変更部）よりも脱臭風路８０における下流側の後壁部５５に、第２の気流変更部として突出壁５９が設けられている。突出壁５９に当たった空気は突出壁５９の傾斜に沿って脱臭風路８０における上流側の斜め上方に戻され、そのまま弧を描くように下方の水Ｗに向かう流れを形成することができる。このような突出壁５９によっても、簡単な構成により、空気を水Ｗに衝突させて、水Ｗに接触する空気の量を増大させ、水溶性が高い臭気成分の水への溶解効率を向上させることができる。
【００４７】
また、突出壁５９により水面付近の空気のファン装置６０側への流通が堰き止められ、水面付近で空気を滞留させることができる。これは、空気と水Ｗとの接触時間をより増大させることができ、空気中の水溶性が高い臭気成分の水への溶解効率を向上させる。
【００４８】
また、突出壁５９は、空気との衝突により水面が波立つことで生じた水面付近の水滴が気流に乗ってファン装置６０側に移動してしまうことを抑制する。
【００４９】
水溜め部５０は、第１空間５１より風路断面積が小さい絞り部として機能する第２空間５２を有する。その第２空間５２によって、吸気口２３から吸気された空気は加速される。これにより、水溜め部５０の水Ｗの水面が揺れやすくなり（波立ちやすくなり）、空気と水面との接触面積を増大させることができる。空気と水面との接触面積の増大は、空気中の水溶性が高い臭気成分の水への溶解効率を向上させる。
【００５０】
また、第２空間５２（絞り部）で加速された空気を第１空間５１に設けられた凹部５８によって水Ｗに向かわせることができるので、水Ｗの水面をより揺れやすくでき（波立ちやすくでき）、空気と水面との接触面積を増大させることができる。
【００５１】
図４（ａ）には、後壁部５５から第１空間５１を経て第２空間５２の一部にわたる領域に水Ｗが溜まった例を示している。水Ｗは、少なくとも凹部５８が設けられた第１空間５１の一部領域に溜まれば良く、第２空間５２には溜まらなくてもよい。第２空間５２にも水Ｗを溜めた場合には、空気と水面との接触面積をより増大させることができ、空気中の水溶性が高い臭気成分の水への溶解効率を向上させる。
【００５２】
脱臭風路８０中を水溜め部５０よりもさらに下流側に流れた空気中における、水Ｗに溶解しなかった硫化水素やメチルメルカプタンなどの臭気成分は、図２（ｂ）に示す排気口２４に隣接して配置された酸化触媒により脱臭される。酸化触媒は、硫化水素、メチルメルカプタンを酸化し分解する。
【００５３】
また、吸気口２３から空気と一緒に吸い込まれた埃や紙片等の粉塵を、水溜め部５０に溜められた水Ｗで捕捉することができ、酸化触媒に粉塵が流れることによる酸化触媒の性能低下を抑制することができる。さらに、ファン装置６０も、水溜め部５０よりも脱臭風路８０の下流側に配置されているため、粉塵がファン装置６０へ到達してしまうことも抑制できる。また、前述した気流変更部によって、粉塵を含む空気を水溜め部５０に溜められた水Ｗに衝突させることで、水Ｗに粉塵がより捕捉されやすくなる。
【００５４】
また、通常、脱臭装置の吸気口には、粉塵を補足するためのメッシュフィルタが設けられるが、本実施形態においては、水溜め部５０により粉塵を補足することができ、メッシュフィルタを設けなくともよい。そのため、本実施形態においては、メッシュフィルタをメンテナンスする手間をなくすことができる。
【００５５】
図４（ｂ）は、本実施形態における排水動作を説明する断面図である。
【００５６】
使用者が便器１００から離座し、この離座に基づいてファン装置６０の駆動が停止される。ファン装置６０の停止により、水溜め部５０は大気圧に戻り、水Ｗを溜まった状態に保持していた力が解除される。そして、水溜め部５０の底面５４ａは、排水口２５に向かって下り傾斜しているため、水溜め部５０に溜まっていた水Ｗは、排水口２５から、図１に示す便器１００のボウル部１０１に排水される。また、水溜め部５０に溜められた水Ｗに捕捉された粉塵なども水Ｗとともに排水される。
【００５７】
排水機構として可動部材、例えば電磁弁を用いた場合、電磁弁の固着により開弁不良が生じ排水できなくなる懸念があるが、本実施形態では、そのような排水機構を設けずに、ファン装置６０による負圧の形成を停止するだけで排水できる。簡単な構成で水溜め部５０から水を排水して、水溜め部５０に残る水を少なくすることができ、残った水に起因するバイオフィルムの形成を抑制することができる。
【００５８】
また、仮にバイオフィルムまたは粉塵などで排水口２５が閉塞してしまった場合、本実施形態では水溜め部５０の外部に設けられた給水部２７から排水口２５を介して水溜め部５０に給水する構成であるため、水が排水口２５の閉塞物で遮られて水溜め部５０へ給水されない。これにより、水溜め部５０から溢れた水がファン装置６０に吸い込まれて排気口２４から機外（トイレ装置１の外部）に漏れ出てしまうことを抑止できる。
【００５９】
排水口２５はボウル部１０１に向けて開口され、排水口２５からボウル部１０１へ排水される。そのため、操作部を使用者が操作することで洗浄水によりボウル部１０１を洗浄し、排水配管へと洗浄水を排水するという通常の便器の使用によって水脱臭ユニット２０からの排水を処理することができ、別途設けた排水受け部を不要とした簡易な構成により、前述した本実施形態の機能を実現可能となる。
【００６０】
また、給水部２７がボウル部１０１の開口の上方に位置するため、排水口２５が閉塞してしまった場合には、給水部２７から吐水され排水口２５の閉塞物で跳ね返された水を確実にボウル部１０１に排水することができる。
【００６１】
なお、吸気口２３が排水口２５も兼ねる構成に限らず、吸気口２３と排水口２５をそれぞれ別の構成要素として設けてもよいが、吸気口２３が排水口２５も兼ねる構成の場合には、別に設ける場合に比べて、簡易な構成により、前述した本実施形態の機能を実現可能となる。
【００６２】
以上説明した実施形態では、脱臭装置１０を衛生洗浄装置２００に設けた例を説明したが、本発明による脱臭装置は、大便器および小便器の少なくともいずれかを含むトイレ空間に設けられればよく、脱臭装置１０は例えば小便器に設けてもよい。この場合、排水口は小便器のボウル部面に向けて開口され、排水受け部である小便器のボウル部面へ排水口から排水することができる。
【００６３】
また、本発明は、ファン装置６０の空気吸引によって水溜め部５０に負圧を形成することに限らず、例えばポンプの空気吸引によって水溜め部５０に負圧を形成してもよい。
【００６４】
凹部５８（第１の気流変更部）および突出壁５９（第１の気流変更部）は、図２（ａ）及び（ｂ）に示す側壁部５６、５７間にわたって延在せず、部分的に設けられていてもよい。なお、凹部５８および突出壁５９を側壁部５６、５７間にわたって延在させることで、脱臭風路８０内を流通する空気全体の流れる方向を気流変更部によって水溜め部５０に溜めた水に向かわせることができ、空気中の水溶性が高い臭気成分の水への溶解量を多くできる。
【００６５】
以上、具体例を参照しつつ本発明の実施形態について説明した。しかし、本発明は、それらに限定されるものではなく、本発明の技術的思想に基づいて種々の変形が可能である。
【符号の説明】
【００６６】
１…トイレ装置、１０…脱臭装置、２０…水脱臭ユニット、２３…吸気口、２４…排気口、２５…排水口、２７…給水部、４０…水脱臭部、５０…水溜め部、５８…凹部、５９…突出壁、６０…ファン装置、８０…脱臭風路、９０…制御部、１００…便器、１０１…ボウル部、２００…衛生洗浄装置
【図１】
2020200645.tif 000003
【図２】
2020200645.tif 000004
【図３】
2020200645.tif 000005
【図４】
2020200645.tif 000006